(57)【要約】      （修正有）【課題】袋形態又は、手袋形態の内側に液体の不透過性樹脂フイルムを取り付けた清拭及び清掃用具の提供。【解決手段】スパンレース不織布等１又は、綿布等２の内側になる面に分離が容易にするためにミシン目６を施した、液体の不透過性樹脂フイルム３を接着シロ５の部分で袋形態又は、手袋形態状に縫い合わせた４清拭及び清掃用具に温湯水、エチルアルコール等を布面に浸み込ませて清拭作業又は、清掃作業を行っても、不透過性樹脂フイルムの存在で浸み込ませた液体、病原菌、雑菌、及び汚物等が浸透しない事で、介護者及び清掃者の手に触れないことから手荒れ防止及び感染予防が出来る。更に、布等と不透過性樹脂フイルムはミシン目６を施してあることから分離が容易で、破棄時の分別が安易で尚且つ、不透過性樹脂フイルムは再生利用が出来、地球環境にも優しく社会的に非常に有意義である。【選択図】図１
0003120246.tif 000002
【実用新案登録請求の範囲】
【請求項１】
布等を用いた袋形式の清拭用具及び清掃用具の内側に、液体の不透過性樹脂フイルムを取り付けた事を特徴とする袋形式の清拭用具及び清掃用具。
【請求項２】
請求項１であって、布に消毒溶液又は、殺菌溶液を含侵させた事を特徴とする袋形式の清拭用具及び清掃用具。
【請求項３】
請求項１，２であって、手袋形式の清拭用具及び清掃用具。
【請求項４】
請求項１，２，３であって、内側に取り付けた、液体の不透過性樹脂フイルムを容易に取り外しが出来ることを特徴とする清拭用具及び清掃用具。
【考案の詳細な説明】
【技術分野】
【０００１】  本考案は、清拭作業及び清掃作業時に病原菌、雑菌及び汚物が、介護者又は、清掃者の手に付着することの無い不透過樹脂フイルム付き袋形式又は手袋形式の清拭用具及び清掃用具に関する。
【背景技術】
【０００２】  清拭用具として用いられる、布等の形状は、布巾形状、おしぼり形状、及び、手拭い形状が主に使用されている。室内清掃用具として用いられているのは、雑巾形状、手拭い形状及びモップ形状が主で、特に小物等の清掃には雑巾形状か手拭い形状の物が用いられており、モップ形状以外は、直接手に触れて作業を行っているのが現状である。一部便器等の汚物の清掃にはゴム手袋等を手に嵌めて、上記の布等を用いて行われている。
しかし、介護での身体の清拭にはコミニュケーションの関係から、ゴム手袋等を嵌めて清拭作業を行うことは不可能であることから、病原菌及び雑菌等が布を通して、又は、布等を持ち替えた時に介護者の手に付着し、感染の原因の一つにつながるという欠点がある。
【考案の開示】
【考案が解決しようとする課題】
【０００３】  本考案は、上記問題点に鑑み、介護を受ける方が不愉快な感情を抱くことなく、介護者又は、清掃名の手に、病原菌、雑菌及び汚物が浸透し触れること無く、清拭作業又は、清掃作業が可能になり前述の欠点を解決しようとするものである。
【課題を解決するための手段】
【０００４】  本考案は、上記の要求を満たす清拭用具及び清掃用具に関して鋭意研究を重た結果、布等を用いた、袋形式又は手袋形式の内側に液体の不透過樹脂フイルムを取り付けることにより、介護者又は、清掃者の手に、直接病原菌、雑菌及び汚物等が付着する事無く清拭作業又は、清掃作業を遂行出来ることを見出し問題を解決している。
【考案の効果】
【０００５】  上述の様に、本考案の清拭用具又は、清掃用具を用いることにより介護者又は、清掃者は感染等の不安を抱く事無く誠心誠意作業が出来き、介護を受ける方も不愉快な感情を抱く事無く気持よく介護が受けられる。又、介護者、清掃者による伝染等の防止にも役立つ為に非常に有益である。
【考案の実施するための最良の形態】
【０００６】  本発明による袋形式又は、手袋形式の清拭用具及び清掃用具の構成について説明する。
袋形式又は、手袋形式の清拭用具及び清掃用具の表面に用いる布等は、一般的な綿繊維布、パルプ繊維と化学繊維の混合製品布又は、化学繊維布で液体が浸透し保水する繊維布ならば材質は問わない。
上記の繊維を表面に用い、内面は液体を透過しない樹脂フイルム（例えば、ポリエチレン，ポリプロピレン，ポリ塩化ビニール等）を用いて、一方から手が挿入出来る袋形状又は、手袋形状に樹脂フイルムの一部を縫い合わせ又は、接着剤を用い接着し加工した。
繊維部に温湯水、消毒剤（例えば、エチルアルコール等）、蛋白生成阻害剤（例えば、ポリヘキサメチレンビグアニドハイドロクロライド等）、を含侵させた後、清拭作業又は、清掃作業を行う。
清拭作業又は、清掃作業終了後、繊維布に一部樹脂フイルムを接合しているので、繊維布と樹脂フイルムは簡単に分離出来、破棄時の分別が容易であり、樹脂フイルムは再利用が可能である。
以下に、実施例を参照して本考案を説明するが、本考案は実施例により制限されるものでない。
【実施例１】
【０００７】  図−１に示す様に、繊維布には、スパンレース不織布（デュポン社製）を用い、液体の不透過性樹脂には、ポリエチレンフイルムを用いて袋形状の清拭用具及び、清掃用具を作製した。
この、清拭用具に温湯水（４０℃前後）を含侵させ、一歳児の下の処理をった。
その結果、汚物が浸透して直接手に付着することがなかった。
【実施例２】
【０００８】  図−１に示す清掃用具にエチルアルコールを含浸させ、幼児の玩具を清掃した。
その結果、含浸させたエチルアルコールが直接手に触れないので、手の荒れが生じなかった。
【実施例３】
【０００９】  図−２に示す様に、一般的に使用されている綿布（ガーゼ）を用い、液体の不透過性樹脂には、ポリエチレンフイルムを用いて袋形状の清拭用具及び、清掃用具を作製した。
この、清拭用具に温湯水（４０℃前後）を含侵させ、一歳児の下の処理を行った。
その結果、汚物が浸透して直接手に付着することがなかった。又、ポリエチレンフイルムは一部の接合であることから、簡単に綿布と分離出来、破棄物の分別が容易であった。
【実施例４】
【００１０】  図−２に示す清掃用具にエチルアルコールを含浸させ、幼児の玩具を清掃した。
その結果、含浸させたエチルアルコールが直接手に触れないので、手の荒れが生じなかった。
【実施例５】
【００１１】  図−３に示す様に、一般的に使用されている綿布（ガーゼ）を用い、液体の不透過性樹脂には、ポリエチレンフイルムを用いて手袋形状の清掃用具を作製した。
この手袋形状の清掃用具にエチルアルコールを含浸させ、幼児の玩具を清掃した。
その結果、含浸させたエチルアルコールが直接手に触れないので、手の荒れが生じなかった。又、手袋形状であるために細かな部分の清掃も簡易に出来た。
【比較例１】
【００１２】  図−４に示す様に、一般的に使用されている綿布（ガーゼ）を用い、袋形状の清拭用具及び、清掃用具を作製した。
この、清拭用具に温湯水（４０℃前後）を含侵させ、一歳児の下の処理を行った。
その結果、汚物が浸透して直接手に付着した。
【比較例２】
【００１３】  図−４に示す様に、一般的に使用されている綿布（ガーゼ）を用い、袋形状の清拭用具及び、清掃用具を作製した。
この清掃用具にエチルアルコールを含浸させ、幼児の玩具を清掃した。
その結果、含浸させたエチルアルコールが直接手に触れ、手の荒れが生じた。
【比較例３】
【００１４】  図−５に示す様に、繊維布には、スパンレース不織布（デュポン社製）を用い、袋形状の清拭用具及び、清掃用具を作製した。
この清掃用具にエチルアルコールを含浸させ、幼児の玩具を清掃した。
その結果、含浸させたエチルアルコールが直接手に触れ、手の荒れが生じた。
【図面の簡単な説明】
【００１５】
【図１】本考案の液体の不透過性樹脂フイルム付き袋形式の清拭及び清掃用具の正面図である。
【図２】本考案の液体の不透過性樹脂フイルム付き手袋形式の清拭及び清掃用具の正面図である。
【図３】比較例に使用した袋形式の清拭及び清掃用具の正面図である。
【符号の説明】
【００１６】１  スパンレース不織布
２  厚手のガーゼ
３  ポリエステルフイルム
４  縫い目
５  接着シロ
６  ミシン目
【図１】
0003120246.tif 000003
【図２】
0003120246.tif 000004
【図３】
0003120246.tif 000005